(57)【要約】      （修正有）【課題】隣接する上部層と下部層とで開口方向を相違させることができ、空間利用効率が改善され得る。また動作が安定していて、開けるときの労力が節約され、開閉時の良好な視覚的効果を有する、ルービックキューブ（登録商標）形の回転式キャビネットを提供する。【解決手段】基部１、収納ボックス３、回転機構５およびヒンジ４を備える。各収納ボックスは正六面体であり、その１側面は開口している。構造の基部は、移動も回転もしない。基部の底面は、地面と接触し、上面は、収納ボックスと接触している。各層は４つの収納ボックスを有し、各層には、２つの隣接するボックス間のヒンジ接続が存在する。回転機構が隣接層のボックス間に配列され、そのためボックスが回転軸としての回転機構とともに回転する。収納ボックスと接触している基部の表面には４つの回転機構が提供され、基部の表面と接触しているボックスの第１の層が回転軸としての回転機構とともに回転する。【選択図】図１
0003234212.tif 000002
【実用新案登録請求の範囲】
【請求項１】
複数のボックス（３）の多層構造と複数の回転機構（５）とを備えるルービックキューブ（登録商標）形の回転式キャビネットであって、
前記ボックス（３）各々は、１側面が開口している直六面体構造であり、
各層には４つのボックス（３）が配置され、前記回転式キャビネットが閉じられているとき、同層の前記ボックス（３）の開口は互いに向かい合わせになっており、各列における隣接する２層間における前記ボックス（３）の開口方向は９０°ずれており、
前記回転機構（５）は各列における前記隣接する２層の前記ボックス（３）間にそれぞれ配設され、前記回転機構（５）の上下に位置する前記ボックス（３）が前記回転機構（５）によって相対的に回転させられ、前記回転機構（５）により前記隣接する２層の前記ボックス（３）は逆方向に回転し、前記ボックス（３）の前記隣接する２層の前記開口も逆方向に回転される、ルービックキューブ（登録商標）形の回転式キャビネット。
【請求項２】
前記ボックス（３）は、最大９０°まで回転させられることができ、０°の回転は、前記回転式キャビネットの閉じられた状態のことを言い、前記ボックスの各層の前記開口は互いに向かい合わせになっており、回転が９０°である場合、前記ボックス（３）の各層の前記開口は外側を向いており、閉じられた状態において開口しており、前記向かい合わせのボックスのうちの任意の２つが逆方向に９０°回転させられた場合、前記２つの前記開口は同一平面上にあり、外側で同一方向を向いている、請求項１に記載のルービックキューブ（登録商標）形の回転式キャビネット。
【請求項３】
任意の１つの前記ボックスの第１の辺および第２の辺には、それぞれヒンジ（４）が設けられ、前記第１の辺は、前記キューブ回転式キャビネットが閉じられているときに前記各層の中心に近接する前記ボックスの辺であり、前記第２の辺は、他のボックスと接触する前記開口の側面に位置し、前記第２の辺は、前記第１の辺と向かい合っており、前記第２の辺は、前記ボックス開口が閉じられているときに外側に露出する辺であり、前記第１の辺および前記第２の辺の前記ヒンジはそれぞれ、同一の層のボックス（３）のうちの隣接する２つに接続される、請求項２に記載のルービックキューブ（登録商標）形の回転式キャビネット。
【請求項４】
前記キューブ回転式キャビネットはさらに基部（１）を備え、前記基部（１）の底面は、地面を向いており、上面には、４つのスライドレール（２）が設けられ、前記スライドレール（２）の上には下層の前記ボックス（３）が配置され、
前記スライドレール（２）は、スライドレール（２１）とスライドレール（２２）とを備え、
前記スライドレール（２２）は、前記基部（１）の中心を向いている一端と前記基部（１）の角を向いている他端とを有する短冊状の構造であり、
前記スライドレール（２１）は、前記スライドレール（２２）の内側に配設され、その上に回転機構（５）が、前記下層のボックス（３）に前記回転機構（５）の周りを回転することと前記回転機構（５）とともに前記スライドレール（２１）に沿って移動することとを可能にさせるように、前記下層のボックス（３）を接続するように配列される、請求項１に記載のルービックキューブ（登録商標）形の回転式キャビネット。
【請求項５】
前記基部（１）の底面には、地面に対しルービックキューブ（登録商標）形の回転式キャビネット全体を回転させるための移動デバイスが提供される、請求項４に記載のルービックキューブ（登録商標）形の回転式キャビネット。
【請求項６】
前記ボックス（３）各々は、立方体構造である、請求項１に記載のルービックキューブ（登録商標）形の回転式キャビネット。
【請求項７】
前記回転機構の列の各々は、地面に対し垂直な同一直線上に配設され、
各層の前記４つのボックス（３）は、前記層の４つの区画に対応するように設けられ、各ボックス（３）の上部は、単一のボックスの４つの区画へと均等に分割され、
そして、第１の列における各ボックスの前記回転機構（５）は、前記単一のボックスの第３区画に配設され、第２の列における各ボックスの前記回転機構（５）は、前記単一のボックスの第１区画に配設され、各ボックスの第３の回転機構（５）は、単一のボックスの第１区画に配列され、第４の列における各ボックスの前記回転機構（５）は、単一のボックスの第４区画に配列される、請求項３に記載のルービックキューブ（登録商標）形の回転式キャビネット。
【請求項８】
前記回転式キャビネットが閉じられているとき、ハンドル（６）が任意の１つの前記ボックス（３）の露出した側面上に提供され、前記ハンドルの前記側面には同時にヒンジは提供されない、請求項３に記載のルービックキューブ（登録商標）形の回転式キャビネット。
【請求項９】
前記開口が向かい合わせになっている任意の２つの閉じられた位置に関し、前記２つの間の開口は０°から１８０°まで展開され、前記第１の辺に配設された前記ヒンジは、前記ボックスの中心から外側へと移動し、１８０°の展開時には前記回転式キャビネットの露出面上に位置し、同時に、前記第２の辺に設けられた前記ヒンジは、前記回転式キャビネットの露出面から内側へと移動し、１８０°の展開時にはボックスの前記層の中心に位置する、請求項７に記載のルービックキューブ（登録商標）形の回転式キャビネット。
【請求項１０】
前記ボックスのうち任意の２つの閉じられた状態における向かい合わせの開口位置を有する任意のボックスに関し、前記２つの間の開口が０°である場合、各層の前記４つのボックスは矩形状に配列され、前記隣接する２層の前記ボックスは、水平方向の位置ずれなく積層され、前記２つの間の開口が回転により９０°である場合、各層の前記４つのボックスは十字型に配列され、前記隣接する２層の前記ボックスは、前後方向に位置ずれしており、前記２つの間の開口が１８０°である場合、各層の前記４つのボックスは、矩形状に配列され、前記隣接する２層の前記ボックスは、前後方向および左右方向に位置ずれしている、請求項９に記載のルービックキューブ（登録商標）形の回転式キャビネット。
【考案の詳細な説明】
【技術分野】
【０００１】
本考案は、回転し開閉するルービックキューブ（登録商標）形の多層ショーケースに関し、このショーケースは、動力学解析および機械的原理による上部層および下部層の相対的な回転を実現し、この上部層および下部層は、中心の位置がずれている。本考案は、キャビネットおよびディスプレイ技術の分野に属する。
【背景技術】
【０００２】
キャビネットは家庭生活において、収納およびディスプレイのために使用されるが、一般的なディスプレイキャビネットを単一の方向に開口しており、空間利用率が高くない。したがって、キャビネットがディスプレイされるときにそれをルービックキューブのように回転することができれば、それは一般的なディスプレイキャビネットが有する空間利用の問題を解決するであろう。
【考案の概要】
【考案が解決しようとする課題】
【０００３】
本考案によって上記技術的課題を解決することを目的とする。上記課題を解決するために、本考案は新規なルービックキューブ形の回転式キャビネットを提供する。それは、隣接する上部層と下部層とで開口方向を相違させることができ、空間利用効率が改善され得る。また動作が安定していて、開けるときの労力が節約され、開閉時の良好な視覚的効果を有する。
【０００４】
上記目的を達成するために、本考案は、以下の技術的ソリューションによって達成される。
【０００５】
本校案は、ルービックキューブ形の回転式キャビネットであり、多層ボックスと回転機構とによって特徴づけられる。
【０００６】
各ボックスは、１側面が開口している直六面体構造である。
【０００７】
各層には４つのボックスが存在し、回転式キャビネットが閉じられているとき、開口は互いに向かい合わせになっており、隣接する２層におけるボックスの開口方向は、９０°ずれている。
【０００８】
回転機構が各列における隣接する２層のボックス間に配設され、そのため回転機構の上下に位置するボックスが回転機構によって回転軸の逆方向に回転し、隣接する２層が開かれるようになっている。開口もまた、逆方向に回転する。
【０００９】
好ましくは、各ボックスは最大９０°まで回転することができる。
【００１０】
０°の回転は、回転式キャビネットの閉じられた状態のことを言い、ボックスの各層の開口は互いに向かい合わせになっている。回転が９０°である場合、ボックスの各層の開口は外側を向いており、閉じられた状態において開口は相対的に任意である。２つのボックスが逆方向に９０°回転させられた場合、その２つの開口は同一平面上にあり、外側で同一方向を向いている。
【００１１】
好ましくは、任意の１つのボックスの第１の側縁および第２の側縁にはそれぞれヒンジが提供され、第１の側縁は、キューブ回転式キャビネットの閉じられた状態においてボックスの開口が閉じられているときに層の中心に近接する辺である。第２の辺は、他のボックスと接触する開口の側面上に位置し、第２の辺は、第１の辺と向かい合っており、第２の辺は、キューブキャビネットが閉じられた状態にあるときにボックスの開口が回転させられるときに外側に露出する辺である。第１の辺および第２の辺のヒンジはそれぞれ、同一の層の２つの隣接するボックスに接続される。
【００１２】
好ましくは、キューブ回転式キャビネットはさらに基部を備え、基部の底面（第１の表面）は地面を向いており、上面（第２の表面）には４つのスライディングレールが提供され、ボックスの下層（第１の層）がその上に配置される。
【００１３】
スライドレールは、スライドレールガイドとスライドレールとを備える。
【００１４】
スライドレールは短冊状の構造であり、その一端は基部の中心を向いており、他端は基部の角を向いている。
【００１５】
スライドレールはスライドレールの内側に配設され、その上で回転機構が、下層のボックスが回転機構の周りを回転し、回転機構とともにスライディングレールに沿って移動するように下層のボックスに接する。
【００１６】
好ましくは、基部の底面には、地面に対しルービックキューブ形の回転式キャビネット全体を回転させるために移動デバイスが提供される。
【００１７】
好ましくは、ボックスは立方体構造である。
【００１８】
好ましくは、回転機構の各列は、地面に対し垂直な同一直線上に配設される。
【００１９】
各層の４つのボックスは、その層の４つの区画(quadrants)に対応するように設けられ、各ボックスの上部は、単一のボックスの４つの区画へと均等に分割される。
【００２０】
続いて、第１の列における各ボックスの回転機構は、単一のボックスの第１区画に配設される。第２の列における各ボックスの回転機構は、単一のボックスの第２区画に配設され、第３の列における各ボックスの回転機構は、単一のボックスの第２区画に配設され、第４の列における各ボックスの回転機構は、単一のボックスの第４区画に配設される。
【００２１】
好ましくは、回転式キャビネットが閉じられた状態にあるとき、ハンドルが任意の１つのボックスの外側の側面の表面上に提供され、その側面の表面にはハンドルは提供されるが、ヒンジは提供されない。
【００２２】
好ましくは、任意の２つの閉じられた位置に関し、向かい合わせのボックス開口、その２つの間の開口は、０°から１８０°まで展開され、第１の辺に提供されたヒンジは、ボックスの中心から外側へと移動し、１８０°まで展開されたときには回転式キャビネットの露出面上に位置する。同時に、第２の辺に配設されたヒンジは、回転式キャビネットの露出面から内側へと移動し、１８０°まで展開されたときにはボックスのこの層の中心にある。
【００２３】
好ましくは、任意の２つの閉じられた状態における開口が向かい合わせのボックスに関し、その２つの間の開口が０°であるとき、各層の４つのボックスは矩形状に配列され、２つの隣接するボックスは、水平方向の位置ずれなく積層されるように配列される。その２つの間の開口が回転によって９０°であるとき、各層の４つのボックスは十字型に配列され、隣接する２層のボックスは、前後方向に位置ずれしている。その２つの間の開口が回転によって１８０°であるとき、各層の４つのボックスは矩形状に配列され、隣接する２層のボックスは、前後方向および左右方向に位置ずれしている。
【００２４】
本実用新案は、構造が新奇であり、全材料が軽量であり、基部と上部層ボックスとを連係して回転させることができ、上部と下部の２層のボックスの開閉時、その回転方向は逆であり、位置が垂直方向および水平方向に変えられ元に戻され、キャビネットが開かれる、という利点を有する。閉じられるときには動きがスムーズで抵抗が少ない。
【図面の簡単な説明】
【００２５】
【図１】展開時の本考案の効果を示す模式図である。
【図２】第１の層のボックスおよび基部の構造を示す模式図である。
【図３】基部構造の模式図である。
【図４】本考案の層構造を示す模式図である。
【図５】閉じられているときの本考案の構造を示す模式図である。
【図６】中層のキャビネットを３０°回転したときの本考案の構造を示す模式図である。
【図７】中層のキャビネットを９０°回転したときの本考案の構造を示す模式図である。
【図８】中層のキャビネットを１８０°回転したときの本考案の構造を示す模式図である。
【図９】閉じられているときの本考案の２層構造の平面図である。
【図１０】中層のキャビネットを３０°回転したときの本考案の２層構造の平面図である。
【図１１】中層のキャビネットを９０°回転したときの本考案の２層構造の平面図である。
【図１２】中層のキャビネットを１８０°回転したときの本考案の２層構造の平面図である。
【考案を実施するための形態】
【００２６】
本考案は、添付図面および本考案の特定の実施形態に関連して詳細にさらに説明されるが、それらの実施形態は、考案の範囲を限定するように意図されたものではない。
【００２７】
図１に示すルービックキューブ形の回転式キャビネットは、基部（１）、ボックス（３）、回転機構（５）、ヒンジ（４）、ハンドル（６）およびボックス（３）を含む。各ボックス（３）は、その１側面が開口した立方体構造（または直六面体構造）である。基部（１）の構造は、図２および図３に示すとおりであり、底面は地面を向いており、移動デバイス（プーリー等）が地上で使用される。続いて、基部（１）の上面には、３層にボックス（３）が配置され、各層は４つのボックス（３）を有する。ルービックキューブ形の回転式キャビネットが閉じられている状態では、各層においてボックス（３）の開口は向かい合わせに配列され、同一の列における隣接する２層のボックス（３）の開口方向は９０°異なる。
【００２８】
図４に示すように、各層の２つの隣接するボックス（３）はヒンジ（４）により接続されるので、合計４つのヒンジ（４）が存在する。任意の１つのボックスの第１の辺および第２の辺には、それぞれヒンジが提供され、第１の辺は、ルービック回転式キャビネットが閉じられているときに層の中心に近接するボックス開口の辺であり、第２の辺は、開口している側面の隣および裏側に位置する。面接触の側面が組み合わせられ、第２の辺は、第１の辺と向かい合っており、第２の辺は、ボックス開口が閉じられているときに外側に露出する辺である。
【００２９】
回転機構（５）が２つの隣接するボックス（３）の間に配設され、そのため各ボックス（３）は回転機構（５）によって個別に回転でき、最大１８０°まで回転できるようになっている。回転機構はすべて、地面に対し垂直な同一直線上に配列される。ここで、各層の４つのボックス（３）は４つの区画（全区画の１／４区画(quadrants)）に対応し、各ボックス（３）の上部は均等に分割された４つの区画である。続いて、ＡＢＣＤ列のボックスはそれぞれ、各層の第１区画から第４区画に対応し、列Ａにおける各ボックスの回転機構（５）は、単一のボックスの第１区画に設けられ、回転機構（５）は、単一のボックスの第２区画に配設され、Ｃ列における各ボックスの回転機構（５）は、単一のボックスの第３区画に配設され、列Ｄにおける各ボックスの回転機構（５）は、単一のボックスの第４区画に設けられる。
【００３０】
回転式キャビネットが閉じられた状態にあるとき、中間層のボックス（ケーシング）（３）は、外側面の２つが露出し、ハンドル（６）がそれぞれ、ボックス（３）の回転を容易にするために配列される。これらの側面にはハンドル（６）が提供され、ヒンジ（４）は同時に提供されない。
【００３１】
基部（１）の上面には４つのスライドレール（２）が提供され、その上にボックス（３）の第１の層が配置される。スライドレール（２）は、スライドレール（２１）とスライドレール（２２）とを備える。スライドレール（２２）は、基部（１）の中心を向いている一端と基部（１）の角を向いている他端とを有する短冊状の構造である。スライドレール（２１）は、スライドレール（２２）の内側に配設される。そして、回転機構（５）がその上にスライド可能に配設され、そのため第１の層の各ボックス（３）は、回転機構（５）を中心に回転でき、回転機構（５）によりレールガイド（２１）に沿って移動できるようになっている。
【実施例１】
【００３２】
本考案の第１の実施形態が図５に示され、上中下の３層のボックスが使用され、Ａ、Ｂ、ＣおよびＤの４列で構築される。たとえば、上部層のボックスと中間層のボックスとの間の回転は以下のとおりである。ルービックキューブ形の回転式キャビネットが閉じられた状態にあるとき、上部ボックス構造は、開口によって組み合わせられたＡ列のボックスとＣ列のボックス、Ｂ列のボックスとＤ列のボックスである。列のボックスの開口は向かい合わせに配列され、中間層のボックス構造は、列Ａのボックスの列の開口と列Ｂのボックスの列の開口、および列Ｃのボックスの開口とＤのボックスの列の開口とが、向かい合わせになっている。
【００３３】
上部のＡ列およびＣ列のヒンジは中心に近接しており、Ａ列およびＢ列のヒンジは露出しており、Ｄ列およびＣ列のヒンジは中心に近接している。Ｄ列のボックスおよびＢ列のボックスのヒンジは中心に近接している。開口の方向は９０°互い違いに配列されるので、上部のボックスおよび中間のボックスのヒンジ辺は互い違いに配列され（図１０）、中間のＡ列およびＣ列のヒンジは露出し、列Ａは閉じられている。Ｂ列のボックスに接続されたヒンジは中心に近接しており、Ｄ列のボックスおよびＣ列のボックスのヒンジは露出し、Ｄ列のボックスおよびＢ列のボックスのヒンジは中心に近接している。
【００３４】
図６〜図７に示すように、中間層のＣ列のボックスがＤ列のボックスと組み合わせられ、開口間の角度が０°から１８０°まで変えられる場合（図６は３０°の展開に対応し、上から見た効果は図１０に示すとおりである。図７は９０°まで展開されており、上面視での効果は図１１に示すとおりである）、Ａ列のボックスおよびＢ列のボックスのヒンジが接続され、Ｃ列のボックスとＤ列のボックスとが接続される。ヒンジは内側から外側へと移動し、Ａ列のボックスおよびＣ列のボックスのヒンジが接続され、Ｂ列のボックスおよびＤ列のボックスのヒンジは外側から内側へと移動する。中間層の各々の上部が接続される。回転機構が、上部層の上部列の向かい合わせの列を逆方向に回転駆動するように配列される。工程において、上部ボックスと列Ｂのボックスの列との接続が、列Ｃのボックスおよび列Ｄのボックスと組み合わせられる。ヒンジが外側から内側へと移動し、Ａ列のボックスとＣ列のボックスとを接続するヒンジが接続され、Ｂ列のボックスとＤ列のボックスとを接続するヒンジは内側から外側へと移動する。開口が９０°まで展開されたとき、中間のボックスおよび上部のボックスは同一方向であり、十字型になっている。このとき、回転機構の位置ずれにより、中間層のボックスと上部層のボックスとの間の位置ずれが存在する。
【００３５】
図８に示すように、中間回転層のＣ列のボックスがＤ列のボックスと組み合わせられ、開口間の角度が１８０°である場合、上面視の効果の図は図１２に示すとおりである。このとき、中間層のボックスおよび上部層のボックスは各々、直方体構造を構成するが、回転機構の位置ずれ配列ゆえに、中間層のボックスと上部層のボックスとの間の位置ずれだけでなく、左右方向の位置ずれもまた存在する。また、ボックスの各層の開口が外側を向いており、それは、ディスプレイキャビネットの機能を実現し、開閉時の良好な視覚的効果を有する。
【００３６】
閉じられている場合でもさまざまな展開角度にある場合でも、開口およびヒンジの配列、および下部ケースの動きは、上部ケースのそれと同一である。
【００３７】
考案は上述された特定の実施形態に限定されるものではない。考案は、本明細書において開示された任意の新たな特徴または任意の新たな組み合わせだけでなく、開示された任意の新奇な方法または工程ステップまたは任意の新たな組み合わせまで拡大される。
【００３８】
本考案の内容は上記好ましい実施形態により詳細に説明されているが、上記説明は限定として解釈されるべきではない、ということが理解されるべきである。本考案のさまざまな変更および代替例が当業者に明らかであろう。したがって、考案の範囲は添付の請求項によって決定されるべきである。
【図１】
0003234212.tif 000003
【図２】
0003234212.tif 000004
【図３】
0003234212.tif 000005
【図４】
0003234212.tif 000006
【図５】
0003234212.tif 000007
【図６】
0003234212.tif 000008
【図７】
0003234212.tif 000009
【図８】
0003234212.tif 000010
【図９】
0003234212.tif 000011
【図１０】
0003234212.tif 000012
【図１１】
0003234212.tif 000013
【図１２】
0003234212.tif 000014